【手続補正書】
【提出日】平成18年10月27日(2006.10.27)
【手続補正１】
【補正対象書類名】明細書
【補正対象項目名】特許請求の範囲
【補正方法】変更
【補正の内容】
【特許請求の範囲】    【請求項１】最も像側のレンズは非球面を含みこれを常時固定とし、これより直前のレンズ群がフォーカスのために移動するレンズ群からなる結像光学系、及び、その像側に配置された撮像素子を有し、前記結像光学系は、物体側から順に、負の屈折力の第１レンズ群、広角端から望遠端にかけて変倍する際に物体側に単調に移動する正の屈折力のレンズ群を有することを特徴とする電子撮像装置。    【請求項２】最も像側のレンズは非球面を含みこれを常時固定とし、これより直前のレンズ群がフォーカスのために移動するレンズ群からなる結像光学系、及び、その像側に配置された撮像素子を有し、前記結像光学系は、物体側から順に、負の屈折力の第１レンズ群、広角端から望遠端にかけて変倍する際に物体側に単調に移動する正の屈折力のレンズ群を２つ有することを特徴とする電子撮像装置。    【請求項３】最も物体側に、負の屈折力を有する第１レンズ群を有し、4 つ以上のレンズ群より構成され、物体側より４つ目のレンズ群までの相互の間隔は変倍あるいはフォーカスにて変化し、最も像側のレンズ群は固定で１枚の非球面レンズにて構成され、また、変倍時に第２レンズ群と一体で移動する開口絞りを有する結像光学系、及び、その像側に配置された撮像素子を有することを特徴とする電子撮像装置。    【請求項４】物体側より順に、負の屈折力を有する第１レンズ群と正の屈折力を有する第２レンズ群と正の屈折力を有する第３レンズ群と第４レンズ群よりなり、前記第３レンズ群を物体側に繰り出すことでより近距離の被写体に合焦することが可能なズームレンズよりなる結像光学系であって、前記第４レンズ群が非球面を含む位置固定の１枚のレンズよりなる結像光学系、及び、その像側に配置された撮像素子を有することを特徴とする電子撮像装置。    【請求項５】前記結像光学系の前記第１レンズ群が変倍時固定であることを特徴とする請求項１から４の何れか１項記載の電子撮像装置。    【請求項６】変倍時、前記結像光学系における最も物体側の正のレンズ群は移動し、かつ、以下の条件（４）を満足することを特徴とする請求項１から４の何れか１項記載の電子撮像装置。    （４）      １．５＜ΔL2／Ｙ＜３．５ただし、ΔL2は最も物体側の正のレンズ群の広角端から望遠端にかけての移動量で物体側への移動を正とし、Ｙは撮像素子の有効撮像領域の対角長である。    【請求項７】前記結像光学系と、前記結像光学系の像側に配置された撮像素子との間にそれぞれ結晶軸を有する３種類のフィルターを光軸方向に重ねた光学的ローパスフィルターを配置したことを特徴とする請求項１から６の何れか１項記載の電子撮像装置。    【請求項８】以下の条件（１）を満足する請求項１から７の何れか１項記載の電子撮像装置。    （１）      −１．０＜ｆW ／ｆR ＜０．６ただし、ｆW は広角端無限遠物点合焦時の結像光学系全系の焦点距離であり、該結像光学系が単焦点であれば無限遠物点合焦時の結像光学系全系の焦点距離であり、ｆR は結像光学系の最も像側のレンズの焦点距離である。    【請求項９】前記条件（１）に代えて以下の条件（１−１）を満足することを特徴とする請求項８記載の電子撮像装置。    （１−１）  −０．８＜ｆW ／ｆR ＜０．３    【請求項１��】最も像側のレンズは非球面を含みこれを常時固定とし、これより直前のレンズ群がフォーカスのために移動するレンズ群からなる結像光学系、及び、その像側に配置された撮像素子を有することを特徴とする請求項８記載の電子撮像装置。    【請求項１１】前記条件（１）に代えて以下の条件（１−２）を満足することを特徴とする請求項８記載の電子撮像装置。    （１−２）  −０．６＜ｆW ／ｆR ＜０．１    【請求項１２】前記フォーカスのために移動するレンズ群が以下の条件（２）を満足することを特徴とする請求項１、２又は４記載の電子撮像装置。    （２）      ０．０４＜ｆW ／ｆFO＜０．３ただし、ｆW は広角端無限遠物点合焦時の結像光学系全系の焦点距離であり、該結像光学系が単焦点であれば無限遠物点合焦時の結像光学系全系の焦点距離であり、ｆFOはフォーカスのために移動するレンズ群の焦点距離である。    【請求項１３】前記条件（２）に代えて以下の条件（２−１）を満足することを特徴とする請求項１２記載の電子撮像装置。    （２−１）  ０．０６＜ｆW ／ｆFO＜０．２５    【請求項１４】前記条件（２）に代えて以下の条件（２−２）を満足することを特徴とする請求項１２記載の電子撮像装置。    （２−２）  ０．０８＜ｆW ／ｆFO＜０．２    【請求項１５】前記結像光学系はズームレンズとして構成され、以下の条件（３）を満足することを特徴とする請求項３又は４記載の電子撮像装置。    （３）      ０．１＜（Ｙ／exＰT ）−（Ｙ／exＰW ）＜０．７ただし、exＰW 、exＰT はそれぞれ無限遠物点合焦時における広角端及び望遠端での像面から測った射出瞳位置であり、Ｙは撮像素子の有効撮像領域の対角長である。    【請求項１６】前記条件（３）に代えて以下の条件（３−１）を満足することを特徴とする請求項１５記載の電子撮像装置。    （３−１）  ０．１５＜（Ｙ／exＰT ）−（Ｙ／exＰW ）＜０．６    【請求項１７】前記条件（３）に代えて以下の条件（３−２）を満足することを特徴とする請求項１５記載の電子撮像装置。    （３−２）  ０．２０＜（Ｙ／exＰT ）−（Ｙ／exＰW ）＜０．５    【請求項１８】前記条件（４）に代えて以下の条件（４−１）を満足することを特徴とする請求項１５記載の電子撮像装置。    （４−１）  １．６＜ΔL2／Ｙ＜３．３    【請求項１９】前記条件（４）に代えて以下の条件（４−２）を満足することを特徴とする請求項１５記載の電子撮像装置。    （４−２）  １．７＜ΔL2／Ｙ＜３．０    【請求項２０】物体側より順に、負の屈折力を有する第１レンズ群と、正の屈折力を有する第２レンズ群と、正の屈折力を有する第３レンズ群と、第４レンズ群よりなり、前記第３レンズ群を物体側に繰り出すことでより近距離の被写体に合焦することが可能なズームレンズである結像光学系と、その像側に配置された撮像素子を有し、前記結像光学系の無限遠物点合焦時の前記第２レンズ群の広角端から望遠端までの移動量ΔL2、無限遠物点合焦時の前記第３レンズ群の広角端から望遠端までの移動量ΔL3に関して以下の条件（５）又は（６）を満足することを特徴とする電子撮像装置。    （５）      ０．０６＜（ΔL2−ΔL3）／ｆW ＜２．５    （６）      ０．０５＜（ΔL2−ΔL3）／Ｙ＜２．１ただし、物体側への移動量を正とし、ｆW は広角端無限遠��点合焦時の結像光学系全系の焦点距離であり、Ｙは撮像素子の有効撮像領域の対角長である。    【請求項２１】前記条件（５）、（６）に代えて以下の条件（５−１）又は（６−１）を満足することを特徴とする請求項２０記載の電子撮像装置。    （５−１）  ０．０６＜（ΔL2−ΔL3）／ｆW ＜２．０    （６−１）  ０．０５＜（ΔL2−ΔL3）／Ｙ＜１．６    【請求項２２】前記条件（５）、（６）に代えて以下の条件（５−２）又は（６−２）を満足することを特徴とする請求項２０記載の電子撮像装置。    （５−２）  ０．０６＜（ΔL2−ΔL3）／ｆW ＜１．５    （６−２）  ０．０５＜（ΔL2−ΔL3）／Ｙ＜１．２    【請求項２３】前記第１レンズ群を変倍及びフォーカス時に固定したことを特徴とする請求項２０記載の電子撮像装置。    【請求項２４】前記第１レンズ群中若しくは前記第１レンズ群の直前若しくは直後に光路を折り曲げる光学素子を配したことを特徴とする請求項５又は２３記載の電子撮像装置。    【請求項２５】前記第２レンズ群は、物体側から順に、非球面を含む１枚の正レンズと、正レンズ、負レンズの順で構成された１つの接合レンズとを有することを特徴とする請求項４又は２０記載の電子撮像装置。    【請求項２６】前記第２レンズ群は、負レンズを含む２つのレンズ成分から構成されていることを特徴とする請求項４又は２０記載の電子撮像装置。    【請求項２７】前記第３レンズ群は正レンズ１枚より構成されていることを特徴とする請求項４又は２０記載の電子撮像装置。    【請求項２８】前記第１レンズ群は、物体側から順に、１枚又は２枚の負レンズと１枚の正レンズから構成されていることを特徴とする請求項４又は２０記載の電子撮像装置。    【請求項２９】前記結像光学系の変倍比２．３倍以上を有し、かつ、以下の条件（ａ）、（ｂ) を満足することを特徴とする請求項４又は２０記載の電子撮像装置。    （ａ）      ０．９＜−β23T ＜１．８    （ｂ）      ２．０＜ｆ2 ／ｆW ＜６．０ただし、β23T は望遠端における第２レンズ群と第３レンズ群の無限遠物点に対する合成倍率、ｆ2 は第２レンズ群の焦点距離、ｆW は広角端無限遠物点合焦時の結像光学系全系の焦点距離である。    【請求項３０】前記条件（ａ）、（ｂ）に代えて以下の条件（ａ）’、（ｂ）’を満足することを特徴とする請求項２９記載の電子撮像装置。    （ａ）’    １．０＜−β23T ＜１．７    （ｂ）’    ２．０＜ｆ2 ／ｆW ＜５．０    【請求項３１】前記条件（ａ）、（ｂ）に代えて以下の条件（ａ）”、（ｂ）”を満足することを特徴とする請求項２９記載の電子撮像装置。    （ａ）”    １．１＜−β23T ＜１．６    （ｂ）”    ２．２＜ｆ2 ／ｆW ＜５．０    【請求項３２】以下の条件（ｃ）、（ｄ）を満足することを特徴とする請求項４又は２０記載の電子撮像装置。    （ｃ)       ０．３＜ｔ2 ／Ｙ＜１．５    （ｄ)       ０．０５＜ｔ2N／ｔ2 ＜０．３ただし、ｔ2 は第２レンズ群の最も物体側の面から最も像側の面までの光軸上での厚み、ｔ2Nは第２レンズ群の負レンズの光軸上での厚み、Ｙは撮像素子の有効撮像領域の対角長である。    【請求項３３】前記撮像素子の有効撮像領域の対角長に応じて、前記条件（ｃ）を以下の条件（ｃ) ’としたことを特徴とする請求項３２記載の電子撮像装置。    ��ｃ）’    ０．５＜ｔ2 ／Ｙ＜１．５                      ただし、Ｙ＜６．２（ｍｍ) のとき、                ０．４＜ｔ2 ／Ｙ＜１．３                      ただし、６．２≦Ｙ≦9 ．２（ｍｍ) のとき、                ０．３＜ｔ2 ／Ｙ＜１．１                      ただし、９．２（ｍｍ）＜Ｙのとき。    【請求項３４】前記条件（ｄ）に代えて以下の（ｄ）’を満足することを特徴とする請求項３２記載の電子撮像装置。    （ｄ）’    ０．０６＜ｔ2N／ｔ2 ＜０．２５      【請求項３５】前記条件（ｄ）に代えて以下の（ｄ）”を満足することを特徴とする請求項３２記載の電子撮像装置。    （ｄ) ”    ０．０７＜ｔ2N／ｔ2 ＜０．２    【請求項３６】以下の条件（ｅ）、（ｆ）を満足することを特徴とする請求項４又は２０記載の電子撮像装置。    （ｅ）      ０．５＜ａｂｓ（ＲＩmin ）／Ｙ＜３．０    （ｆ）      ０．３＜ａｂｓ（ＲIImin ）／Ｙ＜２．０ただし、ａｂｓ（ＲＩmin ）、ａｂｓ（ＲIImin ）はそれぞれ第１レンズ群、第２レンズ群の各面の中で最小の曲率半径の絶対値、Ｙは撮像素子の有効撮像領域の対角長である。    【請求項３７】前記条件（ｅ）、（ｆ）に代えて以下の（ｅ）’、（ｆ）’を満足することを特徴とする請求項３６記載の電子撮像装置。    （ｅ）’    ０．６＜ａｂｓ（ＲＩmin ）／Ｙ＜２．５    （ｆ）’    ０．４＜ａｂｓ（ＲIImin ）／Ｙ＜２．０    【請求項３８】前記条件（ｅ）、（ｆ）に代えて以下の（ｅ）”、（ｆｘ”を満足することを特徴とする請求項３６記載の電子撮像装置。    （ｅ）”    ０．７＜ａｂｓ（ＲＩmin ）／Ｙ＜２．０    （ｆ）”    ０．４＜ａｂｓ（ＲIImin ）／Ｙ＜１．６    【請求項３９】前記撮像素子よりも物体側に、波長６００ｎｍでの透過率が８０％以上、７００ｎｍでの透過率が１０％以下の近赤外シャープカットコートを用いたフィルターを配したことを特徴とする請求項１から３８の何れか１項記載の電子撮像装置。    【請求項４０】前記撮像素子が補色モザイクフィルターを有することを特徴とする請求項３９記載の電子撮像装置。    【請求項４１】前記撮像素子よりも物体側に総厚ｔLPF （ｍｍ）が以下の条件（７）を満たす光学的ローパスフィルターを配したことを特徴とする請求項１から４０の何れか１項記載の電子撮像装置。    （７）      ０．１５＜ｔLPF ／ａ＜０．４５ただし、ａは撮像素子の水平画素ピッチ（単位μｍ）であり、５μｍ以下である。    【請求項４２】前記撮像素子よりも物体側に総厚ｔLPF （ｍｍ）が以下の条件（７−１）を満たす光学的ローパスフィルターを配したことを特徴とする請求項１から４０の何れか１項記載の電子撮像装置。    （７−１）  ０．１３＜ｔLPF ／ａ＜０．４２ただし、ａは撮像素子の水平画素ピッチ（単位μｍ）であり、４μｍ以下である。    【請求項４３】前記撮像素子よりも物体側に光学的ローパスフィルターを配し、前記光学的ローパスフィルターを重ねる枚数と前記撮像素子の水平画素ピッチａ（μｍ）に応じて前記光学的ローパスフィルターの総厚ｔLPF （ｍｍ）が以下の条件（７−２）を満足することを特徴とする請求項１から４０の何れか１項記載の電子撮像装置。    （７−２）  ０．３＜ｔLPF ／ａ＜０．４                      ただし、３枚重ねかつ４≦ａ＜５（μｍ）のとき、                ０．２＜ｔLPF ／ａ＜０．２８                      ただし、２枚重ねかつ４≦ａ＜５（μｍ）のとき、                ０．１＜ｔLPF ／ａ＜０．１６                      ただし、１枚のみかつ４≦ａ＜５（μｍ）のとき、                ０．２５＜ｔLPF ／ａ＜０．３７                      ただし、３枚重ねかつａ＜４（μｍ）のとき、                ０．１６＜ｔLPF ／ａ＜０．２５                      ただし、２枚重ねかつａ＜４（μｍ）のとき、                ０．０８＜ｔLPF ／ａ＜０．１４                      ただし、１枚のみかつａ＜４（μｍ）のとき。    【請求項４４】開口形状が固定の複数の開口を有し、その中の１つを前記第１レンズ群の最も像側のレンズ面と前記第３レンズ群の最も物体側のレンズ面の間の何れかの光路内に挿入可能であり、かつ、他の開口と交換可能とすることで像面照度の調節を行うことを特徴とする請求項４又は２０記載の電子撮像装置。    【請求項４５】前記複数の開口の中、一部の開口内に波長５５０ｎｍに対する透過率が８０％未満である媒体を有すると共に、他の一部の開口の波長５５０ｎｍに対する透過率を８０％以上としたことを特徴とする請求項４４記載の電子撮像装置。    【請求項４６】前記結像光学系の焦点距離と入射瞳の直径から求まるＦナンバーをＦNO、前記開口における波長５５０ｎｍにおける透過率をＴとしたときのＦNO／√Ｔを実効ＦNO' とし、前記電子撮像素子の水平画素ピッチをａとするとき、ＦNO' ＞ａ（μｍ）／０．４μｍとなるような実効Ｆナンバーに相当する光量になるように調節する場合は、開口内に５５０ｎｍに対する透過率Ｔが８０％未満の媒体を備えた開口を前記結像光学系の光路に挿入することを特徴とする請求項４４記載の電子撮像装置。    【請求項４７】前記複数の開口の中の複数にそれぞれ空間周波数特性の異なる光学的ローパスフィルターを配したことを特徴とする請求項４４記載の電子撮像装置。